(57)【要約】      （修正有）【課題】作業者が酸処理槽の酸処理液濃度を容易に判断・設定することができ、作業中に生じる検出値のズレを簡単な操作で補正することができる海苔網の酸処理船を提供する。【解決手段】少なくとも、酸処理液を収容する酸処理槽と、養殖漁場の海苔網を該酸処理槽内に誘導し酸処理液で所定時間処理する酸処理装置と、該酸処理槽内に酸処理液の原液を供給する酸原液供給装置と、酸処理槽内の酸処理液のｐＨ値を検出及び／又は表示しその検出値に基づいて該酸原液供給装置を作動させて、酸処理液を一定のｐＨ値に制御する制御装置とを備えた海苔網の酸処理船において、前記制御装置には、酸処理液のｐＨ値−濃度検量線データに基づき酸処理槽の濃度を表示且つ設定制御する機能を有し、更に、既知濃度酸処理液のｐＨ値を検出させ前記検量線データに基づく既知濃度酸処理液のｐＨ値へ簡単な操作で一致させるシフト手段を設けることを特徴とする。【選択図】図２
2020115764.tif 000002
【特許請求の範囲】
【請求項１】
少なくとも、酸処理液を収容する酸処理槽と、養殖漁場の海苔網を該酸処理槽内に誘導し酸処理液で所定時間処理する酸処理装置と、該酸処理槽内に酸処理液の原液を供給する酸原液供給装置と、酸処理槽内の酸処理液のｐＨ値を検出及び／又は表示しその検出値に基づいて該酸原液供給装置を作動させて、酸処理液を一定のｐＨ値に制御する制御装置とを備えた海苔網の酸処理船であって、前記制御装置は、酸処理液のｐＨ値と酸処理液の濃度の関係を示す検量線データを記憶保存し、実際の酸処理槽ｐＨ検出値を該検量線データに基づく演算にて酸処理液濃度として換算表示する機能を有し、酸処理液濃度の入力設定で前記制御を図る機能を有することを特徴とする海苔網の酸処理船。
【請求項２】
前記制御装置には、既知濃度酸処理液のｐＨ値を検出させて、得られた検出ｐＨ値を前記検量線データに基づく既知濃度酸処理液のｐＨ値に一致させる補正値を求めさせ、その補正値により酸処理槽のｐＨ検出値を補正するシフト手段を備えることを特徴とする請求項１に記載の海苔網の酸処理船。
【発明の詳細な説明】
【技術分野】
【０００１】
本発明は、養殖中に海苔網に付着する珪藻類や赤腐れ菌などの菌類を酸処理剤（液）で酸処理する海苔網の酸処理船に関する。
【背景技術】
【０００２】
従来より、海苔養殖場において海面部分に展張されている海苔網に付着する珪藻類や赤腐れ菌などの菌類をクエン酸、リンゴ酸などの有機酸等の組み合わせからなる配合組成の酸処理剤（酸処理剤は、海水等によって適宜希釈され酸処理液として使用される）によって効果的に酸処理を施す海苔網の酸処理船は数多くの型式、構造のものが知られている。
【０００３】
このような海苔網の酸処理船としては、一般に、一定のｐＨ値の酸処理液に海苔網を浸漬することにより、海苔の成長を早め、しかも、各海苔網の成長を一定状態として、良質の海苔を収穫することができる海苔網の酸処理船である。この海苔網の酸処理船は、船内に、一定の容量の酸処理槽と、海苔網を引上手段などで酸処理槽へ誘導する酸処理装置と、同酸処理槽内に酸原液を補給する酸原液補給装置と、酸処理槽内の酸処理液のｐＨ値を検出し、その検出値に基づいて前記補給装置を作動させて、酸処理液を一定のｐＨ値、例えばｐＨ２．０前後に保持する制御装置とより構成されたものである（例えば、特許文献１参照）。
【０００４】
また、小型の海苔網の酸処理船として、箱形船を用いた酸処理船が知られている。この小型の海苔網の酸処理船としては、例えば、
１）  海から海苔網を巻き上げるための海苔網巻上装置を設けた酸処理槽と、薬液を循環させるための薬液循環装置と、薬液循環装置で循環させる薬液の濃度を検出するための濃度検出装置（具体的には、ｐＨセンサによる検出とのみ記載）とを有する海苔網酸処理船（例えば、特許文献２参照）、
２）  酸処理液を所望のｐＨ値に維持することが可能な箱型船として、酸処理液を貯留する酸処理槽と、該酸処理槽内に設けられ、海苔が付着した海苔網を巻き取る一対の巻取ロールとを備える箱型船であって、前記酸処理槽に設けられ、前記酸処理液のｐＨを検出するｐＨセンサと、前記巻取ロールに巻き取られる前記海苔網と干渉しない位置に設けられ、酸原液を吐出する原液吐出部と、前記ｐＨセンサの検出値に基づいて前記原液吐出部に供給する前記酸原液の供給量を自動調節する原液供給装置とを備え、前記原液吐出部は、前記一対の巻取ロールの間に設けられ、前記酸処理液の液面に対峙するように前記酸処理槽の上方に設けられた棒状部材と、該棒状部材から前記酸処理液の液面に向かって垂下するシート部材と、該シート部材の両側に前記棒状部材に沿って設けられ、前記酸原液を前記シート部材に向かって吐出する複数の吐出孔が所定間隔で形成された管状部材とを備えることを特徴とする箱型船（例えば、特許文献３参照）が知られている。
【０００５】
前記特許文献の海苔網の酸処理船では、作業者がｐＨを所望の値に設定することで、酸処理槽の処理液をある程度のレベルで一定制御しながら、酸処理作業を行うことが可能となるものであった。
【０００６】
しかしながら、酸処理液の用法は、水温・病害や栄養状況などの種々養殖環境に応じて酸処理濃度（作業者は、海水による希釈倍率「倍」で表記するのが通常である）を調整するものであり、前記特許文献の様に作業者が酸処理液の制御をｐＨ値だけの設定で行う海苔網の酸処理船は、作業者にとって容易に設定濃度を知ることが出来ず、ひいては適正な濃度設定が行われずに正確な濃度制御が困難となる課題があった。
また、海苔網の処理は１日に数十枚〜百枚程度の多くの海苔網を養殖漁場にて連続的に作業実施する必要がある為、ｐＨセンサのガラス電極（ガラス薄膜）の表面状態に環境影響による変化が起こり易く、ｐＨ検出値に経時的な誤差が生じるので、作業者が所望する濃度での酸処理液制御が持続的に達成できないという課題があった。また、酸処理作業における検出値には、作業時間帯が冬季早朝から開始され昼間までおよぶことによる「酸処理液の水温変化による誤差」や、酸処理液の設定ｐＨが概ね２付近であるので「ｐＨ３以下の領域で生じる酸誤差」も影響していると考えられる。これら種々要因で発生するｐＨ検出値の誤差（検出値のズレ）を解消するためには、校正（一般的な２種類のｐＨ標準液を用いて行う「２点校正」）を処理作業の間に頻繁に実施する必要がある。しかし、強風や波浪の厳しい作業環境下における狭い作業スペースの酸処理船上での校正操作は実質的に不可能であり、また、酸処理作業中に２種類のｐＨ標準液を携帯する煩雑さの問題もあった。
この様に従来の酸処理船には課題があり、作業者が酸処理槽の酸処理液濃度を容易に判断・設定することができ、作業中に生じる検出値のズレを簡単な操作で補正することができる海苔網の酸処理船が望まれていた。
【先行技術文献】
【特許文献】
【０００７】
【特許文献１】特開平５−９５７４０号公報（特許請求の範囲、図１等）
【特許文献２】実用新案登録第３２１２３０４号公報（実用新案登録請求の範囲、図１等）
【特許文献３】特許第６１６１０１６号公報（特許請求の範囲、図１，２等）
【発明の概要】
【発明が解決しようとする課題】
【０００８】
本発明は、前記従来の課題等について、これを解消しようとするものであり、作業者が酸処理槽の酸処理液濃度を容易に判断・設定することができ、作業中に生じる検出値のズレを簡単な操作で補正することができる海苔網の酸処理船を提供することを目的とする。
【課題を解決するための手段】
【０００９】
本発明者らは、前記従来の課題等について鋭意検討した結果、少なくとも、酸処理液を収容する酸処理槽と、養殖漁場の海苔網を該酸処理槽内に誘導し酸処理液で所定時間処理する酸処理装置と、該酸処理槽内に酸処理液の原液を供給する酸原液供給装置と、酸処理槽内の酸処理液のｐＨ値を検出及び／又は表示しその検出値に基づいて該酸原液供給装置を作動させて、酸処理液を一定のｐＨ値に制御する制御装置とを備えた海苔網の酸処理船において、前記制御装置には、酸処理液のｐＨ値−濃度検量線データに基づき酸処理槽の濃度を表示且つ設定制御する機能を有し、更に、既知濃度酸処理液のｐＨ値を検出させ前記検量線データに基づく既知濃度酸処理液のｐＨ値へ簡単な操作で一致させるシフト手段を設けることなどにより、前記目的の海苔網の酸処理船が得られることを見い出し、本発明を完成するに至ったのである。
【００１０】
すなわち、次の（１）及び（２）に存する。
（１）  少なくとも、酸処理液を収容する酸処理槽と、養殖漁場の海苔網を該酸処理槽内に誘導し酸処理液で所定時間処理する酸処理装置と、該酸処理槽内に酸処理液の原液を供給する酸原液供給装置と、酸処理槽内の酸処理液のｐＨ値を検出及び／又は表示しその検出値に基づいて該酸原液供給装置を作動させて、酸処理液を一定のｐＨ値に制御する制御装置とを備えた海苔網の酸処理船であって、前記制御装置は、酸処理液のｐＨ値と酸処理液の濃度の関係を示す検量線データを記憶保存し、実際の酸処理槽ｐＨ検出値を該検量線データに基づく演算にて酸処理液濃度として換算表示する機能を有し、酸処理液濃度の入力設定で前記制御を図る機能を有することを特徴とする海苔網の酸処理船。
（２）  前記制御装置には、既知濃度酸処理液のｐＨ値を検出させて、得られた検出ｐＨ値を前記検量線データに基づく既知濃度酸処理液のｐＨ値に一致させる補正値を求めさせ、その補正値により酸処理槽のｐＨ検出値を補正するシフト手段を備えることを特徴とする（１）に記載の海苔網の酸処理船。
【発明の効果】
【００１１】
請求項１の発明によれば、前記制御装置には、酸処理液のｐＨ値と酸処理液の濃度の関係を示す検量線データを記憶し、実際の酸処理槽ｐＨ検出値を該検量線データに基づく演算にて酸処理液濃度として換算表示する機能を有し、且つ、酸処理液濃度の入力設定で前記制御を図る機能を有するので、作業者が酸処理槽の酸処理液濃度を容易に知ることができ、且つ、作業者が所望の酸処理液濃度を入力設定するので、従来のｐＨ値入力設定で生じた様な不適正な濃度設定が行われることがないので、正確な濃度制御ができる海苔網の酸処理船が提供される。
請求項２の発明によれば、前記制御装置には、既知濃度酸処理液のｐＨ値を検出させて、得られた検出ｐＨ値を前記検量線データに基づく既知濃度酸処理液のｐＨ値に一致させるシフト手段を備える構成としたので、作業中に生じる検出値のズレ（誤差）を養殖漁場でも作業者が容易に準備できる濃度既知の酸処理液（濃度標準液）を用いて、作業中でも簡単な操作で補正させた検出ｐＨ値（補正検出値）を得ることができ、その補正検出値による濃度表示及び濃度制御ができるので、作業者が所望する濃度での酸処理液制御が持続的に達成できる海苔網の酸処理船が提供される。
【図面の簡単な説明】
【００１２】
【図１】本発明の実施形態の一例を示す海苔網の酸処理船の概略平面図である。
【図２】本発明の実施形態の一例を示す海苔網の酸処理船の制御装置における表示・操作手段要部を示す概略正面図である。
【図３】酸処理液のｐＨ値と濃度の関係を示す検量線データの一例を示した図である。
【発明を実施するための形態】
【００１３】
以下に、本発明の各実施形態を詳しく説明する。
図１は、本発明の実施形態の一例を示す海苔網の酸処理船の概略平面図である。
本実施形態の一例を示す海苔網の酸処理船Ａは、図１に示すように、ＦＲＰ等の繊維強化プラスチック等から構成される樹脂製の船本体１０内に、少なくとも、酸処理液１１を収容する酸処理槽１５と、該酸処理槽１５内に設けられる海苔網（図示せず）を巻き取り誘導する巻取ロール２０と、前記酸処理槽１５内に酸処理液１１の酸原液Ｚを供給する酸原液供給装置４０と、酸処理槽１５内の酸処理液１１のｐＨ値をｐＨセンサ５１で検出し、その検出値に基づいて前記酸原液供給装置４０を作動させて、酸処理液１１を一定のｐＨ値に制御する制御装置５０とを備えたものである。
【００１４】
酸処理槽１５は、船本体１０の中央に形成された長方形状の凹状体となっており、所定量の酸処理液１１を収容するものである。酸処理槽１５の両側のスペース１６、１６には、酸原液供給装置４０、制御装置５０、これらを駆動するバッテリー（図示せず）などが配置されると共に、作業者が作業するスペースとなっている。
【００１５】
酸原液供給装置４０は、図１に示すように、酸処理槽１５のスペース１６の適宜位置に配置されるものであり、前記酸処理槽１５内に酸処理液１１の酸原液Ｚを供給するものである。本実施形態では、酸原液供給装置４０には、酸処理液１１の酸原液Ｚを収容する原液タンク４１と、該原液タンク４１からポンプ４２を介してライン４３により連結されている。
制御装置５０は、酸処理槽１５内の適宜位置（酸処理槽の平均的ｐＨを検出可能な中央位置）に酸処理液１１のｐＨ値を検出するｐＨセンサ５１を有し、ｐＨセンサ５１で検出した検出値に基づいて前記酸原液供給装置４０のポンプ４２を作動させて、酸処理槽１５内へ酸処理液の酸原液Ｚを供給して酸処理液を一定のｐＨ値に制御するための装置である。制御装置５０は、ｐＨセンサ５１の検出値に基づいて、供給する酸原液Ｚの供給量を自動調節するものである。
【００１６】
酸処理液１１は、クエン酸、リンゴ酸などの有機酸等の酸原液〔市販品があれば市販の酸処理剤（液）、本実施形態の一例では、第一製網社製の「グローゲン」〕Ｚが海水等によって希釈されたものであり、所定のｐＨ値、例えば、ｐＨ１．７〜２．３を有する酸希釈液である。なお、一般的に作業者は、市販の酸処理剤（液）の用法をｐＨで理解把握はしておらず、希釈倍率（例えば、８０倍〜２００倍）で濃度調整し使用するものである。
この酸処理液１１は、酸処理槽１５内に一定量（５００〜１，０００Ｌ）が収容されており、巻き取りなどの手段で酸処理槽１５へ海苔網（図示せず）を誘導して浸漬処理することによって海苔網に付着した海苔を酸処理するものである。
【００１７】
本発明海苔網酸処理船の制御装置５０には、使用する酸処理液のｐＨ値と酸処理液の濃度の関係を示す検量線データ（例えば、図３）を、予め記憶（保存）している。そして、制御装置５０には、酸処理槽１５内の酸処理液１１のｐＨ検出値を該検量線データに基づく演算にて酸処理液濃度として換算表示し、且つ、酸処理液濃度の入力設定で前記制御を図る機能を有する表示・操作手段（例えば、図２のイ、ロ）を備えている。なお、酸処理液の種類によりｐＨ値と濃度の関係（検量線データ）が異なるものもあるので、各々の検量線データを複数保存し、使用する酸処理液の種類により適宜データを選択することができる。
【００１８】
また、本発明海苔網酸処理船の制御装置には、既知濃度酸処理液のｐＨ値を検出させて、得られた検出ｐＨ値を前記検量線データに基づく既知濃度酸処理液のｐＨ値に一致させる補正値（シフト幅）を求めさせ、その補正値（シフト幅）により酸処理槽のｐＨ検出値を補正するシフト手段（例えば、図２のハ）を備えている。そして、この補正値（シフト幅）は、次回シフト手段を行使（補正値の更新）するまで制御装置に記憶（保存）され、補正されたｐＨ検出値（補正検出値）を基にした酸処理濃度の表示と制御を行うことができる。また、補正値（シフト幅）の更新は、同様に既知濃度酸処理液のｐＨ値をｐＨセンサ５１で検出させた状態で、シフト手段の行使（シフト操作）により上書き保存することができる。前記シフト操作としては、制御装置に設けられたスイッチ（例えば、図２のハ）をワンプッシュで実行させるなど、処理作業中でも簡単に実施できる方法が挙げられる。なお、既知濃度酸処理液（濃度標準液）は、予め準備し漁場に持参することもできるが、使用している酸処理剤（原液）と漁場海水を利用して養殖漁場にて作業者が容易に調製入手することができる。
【００１９】
このように構成される本実施形態一例の海苔網の酸処理船による海苔網の酸処理作業について、以下に、説明する。なお、船本体１０が前進する場合と後進する場合とでは、同様であるので、本実施形態においては、船本体１０が前進する場合（図１の上側）についてのみ説明する。
海苔網の酸処理船Ａを養殖している海苔網が設置されている海上まで移動させた後、船本体１０を前進せしめると、前進するにつれて、海苔網が酸処理槽１５に前方から侵入し、侵入した海苔網は、駆動部２２の駆動により巻取ロール２０が回転することによって、順次巻取ロール２０に巻き取られることとなる。巻き取られた海苔網は、酸処理槽１５内に収容されている酸処理液１１に浸漬処理され、海苔が酸処理されることとなる。
酸処理槽１５内には、酸処理液１１のｐＨをｐＨセンサ５１により検出し、このｐＨセンサ５１が検出した検出値は、制御装置５０に出力される。制御装置５０には、酸処理液のｐＨ値−濃度検量線データ（例えば「ｐＨ２．００−１００倍」、「ｐＨ２．１７−１５０倍」及び「ｐＨ２．３０−２００倍」など）が記憶されており、ｐＨセンサ５１から入力されたｐＨ検出値は酸処理液濃度（例えば、「倍」の希釈倍率〔図２のイ〕）で演算表示され、予め設定した酸処理液濃度制御しきい値（例えば、スイッチ〔図２のロ−２〕の操作による設定値〔図２のロ−１〕）とに基づいて、酸原液供給装置４０のポンプ４２をフィードバック制御する。ポンプ４２は、制御装置５０から入力される作動信号に基づいて、該作動信号に応じた所定量の酸原液Ｚを酸原液タンク４１から吸い出してライン４４により管状部材６０、６０に供給する。また、前記制御装置５０は、ｐＨセンサ５１の検出値に基づいて、ポンプ４２を制御して酸処理液１１に供給する酸原液Ｚの供給量を自動調節することができるものである。
【００２０】
前記ｐＨセンサ５１からの作動信号を受信したポンプ４２によって酸原液タンク４１から吸い出された酸原液Ｚは、管状部材６０、６０に供給され、管状部材６０、６０に設けられた複数の滴下孔６１、６１…を介して酸処理液１１内に滴下される。酸処理液１１内に滴下された酸原液Ｚは、酸処理液１１内で直ぐに溶解することとなる。この溶解性は、前記酸原液Ｚが水溶性であり、船本体１０の揺れ、巻取ロール２０の回転などによって酸処理液１１中に生成される回流等によって、酸処理液１１が撹拌状態となることによって、酸処理での海水により薄まった酸処理液１１中に溶解し拡散することとなり、これにより酸処理液１１中の希薄化した酸処理液濃度（高値に変動したｐＨ値）を所定の酸処理液濃度（ｐＨ値）にすることができる。なお、作業者は酸処理槽の酸処理液濃度と設定値を、制御装置５０に備えた防水性の表示・操作手段（図２のイ、ロ）で確認することができる。
前記酸処理する養殖海苔の付着した海苔網が巻取ロール２０への巻取りを経て更に操出ロール２１に巻き取られ、酸処理された後、繰出ロール２１に巻き付けられている海苔網は、船本体１０が前進するにつれて、船本体１０外へ巻き出されて巻き取った海苔網が設置されていた場所に設置されることとなる。
【００２１】
また、本発明の海苔網の酸処理船の制御装置に備えている、既知濃度酸処理液のｐＨ値を検出させて、得られた検出ｐＨ値を前記検量線データに基づく既知濃度酸処理液のｐＨ値に一致させる補正値（シフト幅）を求めさせ、その補正値（シフト幅）により酸処理槽のｐＨ検出値を補正するシフト手段の実施例（漁場作業中の実施）を、以下に説明する。
酸原液Ｚを漁場海水で１００倍に希釈し、１００倍濃度の酸処理液（濃度標準液、検量線データ例ではｐＨ２．００）を調製し、この濃度標準液にｐＨセンサ５１を浸けて制御装置に設けられたスイッチ（例えば、図２のハ）をワンプッシュ操作する（シフト操作）。この際にｐＨセンサ５１のｐＨ検出値が経時的な影響（誤差）で１．９５であった場合（図３の白抜き○〔記号二〕）、作業者は、上記のような簡単なシフト操作で、補正値（シフト幅）＋０．０５が得られ、補正検出値（例えば、１００倍：ｐH１．９５＋０．０５＝２．００、１５０倍：ｐH２．１２＋０．０５＝２．１７及び２００倍：ｐH２．２５＋０．０５＝２．３０など）を基にした酸処理濃度の表示と制御（酸処理の作業）を行うことができる。また、作業環境の変化などにより、作業者が作業中に補正値（シフト幅）の更新を行いたい時は、同様に濃度標準液によるシフト操作を都度行うことで簡単に実施できる。
なお、前記例では、濃度標準液の濃度を１００倍としたが、これに限るものではなく、前記検量線データに基づく既知濃度酸処理液のｐＨ値に一致させる補正値（シフト幅）を行えばよく、本発明の海苔網の酸処理船の制御装置に、濃度標準液の濃度を適宜指定する（例えば、１５０倍や２００倍などに可変できる）機能を設けることもできる。
【００２２】
このように構成される本実施形態の一例の海苔網の酸処理船Ａによれば、制御装置５０には、酸処理液のｐＨ値−濃度検量線データに基づく酸処理濃度の表示・制御機能を有し、また、既知濃度酸処理液のｐＨ値を検出させ前記検量線データに基づく既知濃度酸処理液のｐＨ値へ簡単な操作で一致させるシフト手段を設けているので、作業者が酸処理槽の酸処理液濃度を容易に知り所望の酸処理液濃度を入力設定するので、従来のｐＨ値入力設定で生じた様な不適正な濃度設定が行われることがなく、また、作業中に生じる検出値のズレ（誤差）を養殖漁場でも作業者が容易に準備できる濃度既知の酸処理液（濃度標準液）を用いて、作業中でも簡単な操作で補正させた検出ｐＨ値（補正検出値）を得ることができ、その補正検出値による濃度表示及び濃度制御ができるので、作業者が所望する濃度での酸処理液制御が持続的に達成できる海苔網の酸処理船が得られることとなる。
【００２３】
本発明は、前記実施形態の一例に限定されるものでなく、本発明の要旨を変更しない範囲で、以下の各変形の実施形態を採用することができる。
例えば、前記実施形態の一例では、海苔網を養殖漁場から取り外し巻き取って酸処理槽に誘導するタイプの酸処理船（いわゆる、巻取り処理船）を詳述したが、海苔網を養殖漁場から取り外さずに海苔網の長手方向に船をくぐらせて酸処理槽に誘導するタイプの酸処理船（いわゆる、素通し処理船）などの種々形態の海苔網の酸処理船であってもよいものである。
【産業上の利用可能性】
【００２４】
養殖中に海苔網に付着する珪藻類や赤腐れ菌などの菌類を酸処理剤（液）で効率的に酸処理を施すことができる海苔網の酸処理船に好適に利用することができる。
【符号の説明】
【００２５】
Ａ  海苔網の酸処理船
１０  船本体
１１  酸処理液
１５  酸処理槽
２０  巻取ロール
２５  支持部材
３０  シート状部材
４０  酸原液供給装置
５０  制御装置
６０  管状部材
６１  滴下孔
６２  視認性を有する可撓性チューブ
【図１】
2020115764.tif 000003
【図２】
2020115764.tif 000004
【図３】
2020115764.tif 000005